(57)【要約】【課題】  面発光光源の着脱によって電極薄膜を傷付けることを防止することができる照明装置を提供する。【解決手段】面発光光源１が接続用電極７、８を縁部に有する。枠体２は接続用電極７、８に接続する接点部３を有して面発光光源１の縁部を覆う。接点部３は枠体２の内面に設けられて接続用電極７、８に接続する内側接続部３ａと、枠体２の外面に設けられて内側接続部３ａに接続された外側接続部３ｂとを有する。また枠体２は複数の分割片２ａ、２ｂを組み合わせてなり、各分割片２ａ、２ｂはそれぞれ接点部を有する。器具本体に対する面発光光源１の交換等のための着脱は枠体２を一体として行い、器具本体との電気的導通は枠体２に備えた接点部３で行う。【選択図】        図１
2006331856.tif 000002
【特許請求の範囲】
【請求項１】
接続用電極を縁部に有する面発光光源と、前記接続用電極に接続する接点部を有して前記面発光光源の前記縁部を覆う枠体とを備え、前記接点部は前記枠体の内面に設けられて前記接続用電極に接続する内側接続部と、前記枠体の外面に設けられて前記内側接続部に接続された外側接続部とを有する照明装置。  
【請求項２】
前記枠体は、複数の分割片を組み合わせてなり、各分割片はそれぞれ接点部を有する請求項１記載の照明装置。
【請求項３】
前記面発光光源は複数有する請求項１記載の照明装置。
【発明の詳細な説明】
【技術分野】
【０００１】
本発明は、ＥＬ（エレクトロルミネッセンス）光源に代表される面発光光源を用いた照明装置に関するものである。
【背景技術】
【０００２】
有機ＥＬ光源は、一般に透明基板の片側の表面に、透明電極からなる陽極層、ホール輸送層、発光層、電子注入層、陰極層の各層をこの順序で積層した構成である。陽極層と陰極層の間に電圧を印加することによって、陰極層側から注入された電子と陽極層側から注入されたホールが発光層内で再結合し、これによって発光層で発光した光が透明電極および透明基板を通して取り出される。
【０００３】
透明基板は、気密性、表面の平滑性、耐熱性などの点から一般的にガラスが用いられる。また、その上に形成される電極層および発光層などの各層は、均一な薄膜である必要から、蒸着などの手法で形成される。
【０００４】
蒸着で形成された電極は、厚さ１０００Å程度の極薄膜であり、この薄膜は、引っかきなどの物理的衝撃に弱いのが一般的である。そのため、電極薄膜にメタライズ処理をするなどして薄膜上にさらに導電性の膜を保護膜として形成するとか、陽極、陰極にそれぞれ電線等を付けて配線し別の個所で着脱させるのが一般的である。
【０００５】
ところで、有機ＥＬ光源の寿命（一般的に輝度が高いほど寿命が短い）は、例えば輝度１０００ｃｄ／ｍ２  の白色有機ＥＬの場合、数１０００時間程度である。したがって、照明装置用の光源として用いる場合、有機ＥＬ光源は、交換のために照明器具から着脱できる構造でなければならない。着脱できる構造にすれば、清掃など有機ＥＬ光源の交換以外にも利用することが可能で、その場合電極は着脱の際に起こる摩擦や衝撃に耐えうる必要がある。
【０００６】
従来例（特許文献１参照）によれば、面発光光源に接続用電極を設け、面発光光源を収納する透明ケースに、接続用電極に接触する接点部が設けられ、面発光光源を透明ケースから取り出せば交換でき、また透明ケース内で面発光光源の位置をずらせば接続用電極と接点部を接触させたり離間させることができる。
【特許文献１】特開平６−２２３９７２号公報
【発明の開示】
【発明が解決しようとする課題】
【０００７】
電極は一般的にインジウム−錫酸化物（ＩＴＯ）、インジウム−亜鉛酸化物（ＩＺＯ）などが用いられ、それがガラス基板上に極薄膜（厚さ１０００Å程度）として形成される。そのため電極薄膜は電極として通電性能は十分でも比較的もろい。その上メタライズ処理された膜も程度に差はあれ、引っかきなどに弱い。
【０００８】
一方、電極薄膜を着脱の際の電気的接点として利用する場合、器具側の接点は、電気的に確実な接続を行うためにこの薄膜に対して十分な圧力で接する必要がある。また、着脱させる際に、有機ＥＬ光源が器具に対して電極表面と平行方向に移動するため、電極に傷ができる構造になる。したがって、着脱を何度も繰り返せば、薄膜は電気接点としての機能を果たさなくなるおそれがある。そのため、電気接点として機能させるには、例えば薄膜の上に接点となる別の導電部材を付けるなどの対策が必要である。
【０００９】
したがって、この発明の目的は、面発光光源の着脱によって電極薄膜を傷付けることを防止することができる照明装置を提供することである。
【課題を解決するための手段】
【００１０】
この発明の照明装置は、面発光光源が接続用電極を縁部に有する。枠体は前記接続用電極に接続する接点部を有して前記面発光光源の前記縁部を覆う。前記接点部は前記枠体の内面に設けられて前記接続用電極に接続する内側接続部と、前記枠体の外面に設けられて前記内側接続部に接続された外側接続部とを有する。  
【００１１】
上記構成において、前記枠体は複数の分割片を組み合わせてなり、各分割片はそれぞれ接点部を有する。
【００１２】
上記構成において、前記面発光光源は複数有する。
【発明の効果】
【００１３】
この発明の照明装置によれば、面発光光源に枠体を設けたものであり、器具本体等の支持体に対する面発光光源の交換等のための着脱は枠体を一体として行い、支持体との電気的導通は枠体に備えた接点部で行う。そのため、照明装置を器具本体等に対して着脱する際に枠体の接点部が器具本体側の接点部と接離するので、着脱回数が増えても面発光光源の電極薄膜を傷付けることがない。また枠体が面発光光源を構成する基板の補強および緩衝材として機能するので、有機ＥＬ光源の割れなどを防止でき、さらにはガラス基板の場合そのエッジを覆うことによりエッジによる怪我を防止することができる。
【発明を実施するための最良の形態】
【００１４】
この発明の第１の実施の形態を図１により説明する。すなわち、この照明装置は、面発光光源１と、枠体２とを有する。１０は器具本体である。
【００１５】
面発光光源１は例えば有機ＥＬ光源であり、ホール輸送層、発光層および電子注入層を順次積層した構成を有する有機ＥＬ発光層の両面に電極膜を積層し、一方の電極膜を透明としたもので透明の基板に支持して金属カバー等で密閉封止されている。そして透明な電極膜側を発光面とし、基板の両端にそれぞれ例えばピンを用いた接続用電極７、８を設け、接続用電極７を一方の電極膜と接続し、接続用電極８を他方の電極膜と接続している。
【００１６】
枠体２は、面発光光源１の周縁部の全体を覆うものであり、２つに分割した例えばプラスチック製の分割片２ａ、２ｂからなる。各分割片２ａ、２ｂはコ字形であり、分割片２ａ、２ｂの中央部に接点部３を有し、両側部の内側に面発光光源１の両側を嵌合する溝４を形成している。接点部３は分割片２ａ、２ｂの中央部の内側に内側接続部３ａを有し、外側に外側接続部３ｂを有し、内側接続部３ａと外側接続部３ｂは導通している。内側接続部３ａは接続用電極７、８を嵌合する穴部を有する。また分割片２ａ、２ｂの両端は相欠け継ぎ可能な切欠き５、６を設け、連結手段（図示せず）により連結する。
【００１７】
面発光光源１と枠体２の組立は、分割片２ａ、２ｂの間に面発光光源１を配置し、面発光光源１の両側に分割片２ａ、２ｂの溝４を嵌合させながら分割片２ａ、２ｂを相近寄せ、接続用電極７、８を内側接続部３ａに嵌合して接続し、分割片２ａ、２ｂの両端を相欠け継ぎする。
【００１８】
器具本体１０は、枠体２のついた面発光光源１を収納する複数の収納部１０ａ〜１０ｃを形成するとともに点灯回路を備えており、各収納部１０ａ〜１０ｃの内面に外側接続部３ｂに対応して接点１１を設け、枠体２のついた面発光光源１を収納することにより外側接続部３ｂを接点１１に接触させる。これにより器具本体１０の接点１１に給電すると接点部３および接続用電極７、８を介して面発光光源１の電極膜に電圧が印加され、発光することができる。そして面発光光源１の器具本体１０に対する着脱は枠体２と一体で行う。
【００１９】
この発明の第２の実施の形態を図２により説明する。すなわち、面発光光源１は第１の実施の形態と同様の構造であるが、面発光光源１の両端に接続用電極７、８が分かれて配置されている。枠体２は第１の実施の形態では面発光光源１の周縁の全体を被覆したが、面発光光源１の一部例えば両端のみを被覆するプラスチック製の一対のカバー１２、１３により構成し、接続用電極７、８に対向して露出穴１４を形成している。接点部３は例えば金属導電板を略Ｕ字形に折曲しその両端をさらに内側に折り返した導電金具であり、折り返し部が内側接続部３ａとなり、折曲部の外面が外側接続部３ｂとなる。接点部３は面発光光源１の両端の接続用電極７、８に接触するように挟着して内側接続部３ａを接続用電極７、８に接触し、外側接続部３ｂが枠体２の露出穴１４より露出している。したがって、露出穴１４を通して外側接続部３ｂに器具本体（図示せず）の接点を接触させたり電線を接続することにより面発光光源を発光させることができる。
【００２０】
なお、面発光光源１の両面の電極膜を透明にして、両面発光にしてもよい。
【００２１】
この発明の第３の実施の形態を図３により説明する。第２の実施の形態のプラスチック製のカバー１２、１３を用いた枠体２に代えて、面発光光源１の周囲と背面を覆う構造としている。すなわち、枠体２はプラスチック製であり、中央に面発光光源１を収納する凹部１５を有し、その周壁を枠部１６とし、接点部３は面発光光源１の接続用電極７、８に対応して枠体２の側縁部に貫通して設けられ、外面を外側接続部３ｂとし、内面を内側接続部として面発光光源１の接続用電極に接触している。
【００２２】
なお、枠体２を透光性とすれば、面発光光源１も両面発光のものを用いることができる。
【００２３】
また上記各実施の形態において、枠体２に透光性の前面パネルを設け、面発光光源１の前面を被覆するものでもよい。
【００２４】
第２の実施の形態において、枠体２を導電性のものにして面発光光源１の接続用電極７、８に直接接触し、導電金具を省略することが可能である。
【００２５】
またこの発明において、面発光光源１は枠体２に対して複数設けてもよく、この場合枠体２がそれら複数の面発光光源の一部のみならず、縁部全体を覆う構造にすることができる。
【００２６】
枠体２の各面発光光源１の接点部３の相互は複数の面発光光源１を直列に接続するように接続してもよい。
【００２７】
さらに分割片２ａ、２ｂは３個以上に分割することができ、その場合にそれぞれに接点部３を設けることができる。
【図面の簡単な説明】
【００２８】
【図１】（ａ）はこの発明の第１の実施の形態の分解斜視図、（ｂ）は器具本体の部分斜視図である。
【図２】第２の実施の形態の分解斜視図である。
【図３】第３の実施の形態の斜視図である。
【符号の説明】
【００２９】
１    面発光光源
２    枠体
２ａ、２ｂ    分割片
３    接点部
７、８  接続用電極
１０    器具本体
１１    接点
１２、１３    カバー
１４    露出穴
【図１】
2006331856.tif 000003
【図２】
2006331856.tif 000004
【図３】
2006331856.tif 000005